(57)【要約】【課題】シート状の磁気遮蔽材の性能を落とさずに、施工性のよいシート状磁気遮蔽材の張付技術を提供することにある。【解決手段】シート状の磁気遮蔽材５０を壁面に張り付ける磁気遮蔽材張付具１０は、細幅な板状の張付具本体１１と、その張付具本体１１に設けられ、キャップ部材２０，２０，２０，…を被嵌させる取付突起１６，１６，１６，…とを備える。また、張付具本体１１は、壁面に固定するためにビス３０，３０，３０，…を通すビス孔１２，１２，１２，…を有している。【選択図】  図１
2004360188.tif 000002
【特許請求の範囲】
【請求項１】
シート状の磁気遮蔽材を壁面に張り付けるための磁気遮蔽材張付具であって、
壁面と面接触しながらその壁面に固定される板状の張付具本体と、
その張付具本体に設けられ、キャップ部材を被嵌させることで、張付具本体に当接させた磁気遮蔽材を挟み込み、その磁気遮蔽材を張付具本体に取り付ける取付突起とを備えた磁気遮蔽材張付具。
【請求項２】
請求項１記載の磁気遮蔽材張付具に使用される磁気遮蔽材張付用工具であって、
一端がキャップ部材の形状に合致する凹部を有し、他端が衝撃力を受ける打撃面を有する棒状体からなり、
打撃面で受けた衝撃力が凹部に嵌合したキャップ部材に伝わることで、そのキャップ部材が取付突起に被嵌されることを特徴とする磁気遮蔽材張付用工具。
【請求項３】
磁気遮蔽材張付具を用いてシート状の磁気遮蔽材を壁面に張り付ける磁気遮蔽材張付方法であって、
磁気遮蔽材張付具の板状の張付具本体を壁面と面接触させながらその壁面に固定させる第一工程と、
板状の張付具本体に設けられた取付突起にキャップ部材を被嵌させることで、張付具本体に当接させた磁気遮蔽材を挟み込み、その磁気遮蔽材を張付具本体に取り付ける第二工程とを備えた磁気遮蔽材張付方法。
【請求項４】
一端がキャップ部材の形状に合致する凹部を有し、他端が衝撃力を受ける打撃面を有する棒状体を用いて、
打撃面で受けた衝撃力を凹部に嵌合したキャップ部材に伝えることで、そのキャップ部材を取付突起に被嵌させる第二工程を備えた請求項３記載の磁気遮蔽材張付方法。
【発明の詳細な説明】
【０００１】
【発明の属する技術分野】
本発明は、シート状の磁気遮蔽材を壁面に張り付けるための磁気遮蔽材張付技術に関するものである。
【０００２】
【従来の技術】
電磁波は機器類に誤作動を及ぼし、人体に悪影響を与えるおそれがあることなどから、様々な施設・場所において電磁波を遮蔽することが必要となっている。
電磁波を遮蔽する手段としては、特許文献１に記載されているようなシート状（フィルム状）の磁気遮蔽材を建物の壁面などに張り付ける方法が考えられている。
【０００３】
【特許文献１】
特開平０７−２２７７１号公報
【０００４】
【発明が解決しようとする課題】
従来、このシート状の磁気遮蔽材を壁面に張り付ける方法としては、接着剤を用いた貼り付けか、ビスや釘などを用いた打ち付けなどしか存在しなかった。
しかし、この方法では、作業に手間がかかったり、曲面箇所への張り付けが難しいなど施工性に問題を有していた。
そこで、本発明は、シート状の磁気遮蔽材の性能を落とさずに、施工性のよいシート状磁気遮蔽材の張り付け技術を提供するものである。
【０００５】
【課題を解決するための手段】
上記目的を達成するために、第一の発明は、
シート状の磁気遮蔽材を壁面に張り付けるための磁気遮蔽材張付具であって、
壁面と面接触しながらその壁面に固定される板状の張付具本体と、
その張付具本体に設けられ、キャップ部材を被嵌させることで、張付具本体に当接させた磁気遮蔽材を挟み込み、その磁気遮蔽材を張付具本体に取り付ける取付突起とを備えたことを特徴とする。
【０００６】
第二の発明は、第一の発明の磁気遮蔽材張付具に使用される磁気遮蔽材張付用工具であって、
一端がキャップ部材の形状に合致する凹部を有し、他端が衝撃力を受ける打撃面を有する棒状体からなり、
打撃面で受けた衝撃力が凹部に嵌合したキャップ部材に伝わることで、そのキャップ部材が取付突起に被嵌されることを特徴とする。
【０００７】
第三の発明は、磁気遮蔽材張付具を用いてシート状の磁気遮蔽材を壁面に張り付ける磁気遮蔽材張付方法であって、
磁気遮蔽材張付具の板状の張付具本体を壁面と面接触させながらその壁面に固定させる第一工程と、
板状の張付具本体に設けられた取付突起にキャップ部材を被嵌させることで、張付具本体に当接させた磁気遮蔽材を挟み込み、その磁気遮蔽材を張付具本体に取り付ける第二工程とを備えたことを特徴とする。
【０００８】
第四の発明は、第三の発明にあって、一端がキャップ部材の形状に合致する凹部を有し、他端が衝撃力を受ける打撃面を有する棒状体を用いて、
打撃面で受けた衝撃力を凹部に嵌合したキャップ部材に伝えることで、そのキャップ部材を取付突起に被嵌させる第二工程を備えたことを特徴とする。
【０００９】
ここで、本明細書中「シート状」とは、薄手の二次元的広がりをもった形状のものをいう。
「壁面」とは、建築物・構築物の壁面に限らず、シート状の磁気遮蔽材を張り付ける面積をもったあらゆる場所をいう。
「磁気遮蔽材張付具」の材質はとくに限定しないが、曲面にも固定できるように湾曲可能な材質（例えば金属など）が好ましい。
【００１０】
【発明の実施の形態】
本発明の実施の形態を図面に基づいて説明する。
図１は、本発明の構成を示す説明図である。
シート状の磁気遮蔽材５０を壁面に張り付ける磁気遮蔽材張付具１０は、細幅な板状の張付具本体１１と、その張付具本体１１に設けられ、キャップ部材２０，２０，２０，…を被嵌させる取付突起１６，１６，１６，…とを備える。
また、張付具本体１１は、壁面に固定するためにビス３０，３０，３０，…を通すビス孔１２，１２，１２，…を有している。
【００１１】
図２は、磁気遮蔽材張付具１０を使用した施工状態を示す断面図である。
張付具本体１１は、壁面７０と面接触している。そして、ビス３０が、ビス孔１２を介して壁面７０に埋め込まされビス受け３１と螺合することで、張付具本体１１が壁面７０に固定される。なお、張付具本体１１を壁面７０に固定する方法はこれに限らず、公知の技術（例えば、接着剤による貼り付け）を用いてもよい。
【００１２】
張付具本体１１にはシート状の磁気遮蔽材５０が当接される。そして、その状態で、張付具本体１１に設けられた取付突起１６に対してキャップ部材２０を被嵌させる。こうすることで、磁気遮蔽材張付具１０は磁気遮蔽材５０を挟み込み、その磁気遮蔽材５０を張付具本体１１に取り付けることになる（図２拡大図参照）。
【００１３】
金属など湾曲可能な材質の磁気遮蔽材張付具１０を用いることで、図２に示す平坦な壁面だけでなく、湾曲している曲面に対しても、確実かつ容易に磁気遮蔽材５０を張り付けることが可能となる。また、シート状の磁気遮蔽材５０には張付用の孔をあけずに張り付けることが可能となるので、磁気遮蔽材５０の性能を落とすことがない。
なお、キャップ部材２０の表面に、磁気遮蔽粉末を塗布あるいは磁気遮蔽材からなるカバーを装着させることで、さらに遮蔽機能を向上させることができる。
【００１４】
図３は、キャップ部材２０の取付突起１６に対する被嵌方法を示した説明図である。この方法は専用工具を用いる。すなわち、専用工具である磁気遮蔽材張付用工具４０は、その一端がキャップ部材２０の形状に合致する凹部４１を有し、他端が衝撃力を受ける打撃面４６を有する棒状体からなっている。
【００１５】
シート状の磁気遮蔽材５０の置かれた取付突起１６の上にキャップ部材２０をセットし、キャップ部材２０を磁気遮蔽材張付用工具４０の凹部４１に嵌合させる。そして、打撃面４６にハンマー６０などで衝撃力を与える。すると、それがキャップ部材２０に伝わり、キャップ部材２０は磁気遮蔽材５０を挟み込んだまま取付突起１６に被嵌される。
【００１６】
かりに、ハンマー６０で直接的にキャップ部材２０へ衝撃力を与えると、ハンマー６０が磁気遮蔽材５０に当たって磁気遮蔽材５０を損傷させる場合がある。しかし、磁気遮蔽材張付用工具４０を介してキャップ部材２０へ間接的に衝撃力を与えているので、ハンマー６０が磁気遮蔽材５０を損傷させることを防止できる。磁気遮蔽材張付用工具４０を用いることで、キャップ部材２０を確実に取付突起１６へ被嵌できるのである。
【００１７】
図４は、磁気遮蔽材張付具１０を用いた施工例である。
広い壁面７０には、複数枚のシート状の磁気遮蔽材５０を張り付ける。この張り付ける磁気遮蔽材５０，５０，…の重ね合わせた部分５１に、磁気遮蔽材張付具１０を用いたものである。
また、磁気遮蔽材５０の縦方向だけでなく、横方向にも磁気遮蔽材張付具１０を用いて、磁気遮蔽材５０を張り付けることもできる。
【００１８】
【発明の効果】
本発明によれば、以下のような効果を奏する。
▲１▼  張付具本体に設けられた取付突起にキャップ部材を被嵌させるだけで、簡単かつ確実に磁気遮蔽材を壁面に張付施工できる。
▲２▼  磁気遮蔽材張付具を用いることで、とくに、湾曲している曲面に対しても、簡単かつ確実に磁気遮蔽材を張り付けることが可能となる。また、シート状の磁気遮蔽材には張付用の孔をあけずに張り付けることが可能となるので、磁気遮蔽材の性能を落とすことがない。
▲３▼  磁気遮蔽材張付具を壁面に固定する工程と、シート状の磁気遮蔽材をその磁気遮蔽材張付具に取り付ける工程とを別々に行うことができ、効率よく施工できる。
▲４▼  専用工具である磁気遮蔽材張付用工具を用いることで、磁気遮蔽材を損傷させることなく、キャップ部材を簡単かつ確実に取付突起へ被嵌できる。
【図面の簡単な説明】
【図１】本発明の構成を示す説明図。
【図２】磁気遮蔽材張付具を使用した施工状態を示す断面図。
【図３】キャップ部材の被嵌方法を示した説明図。
【図４】磁気遮蔽材張付具を用いた施工例。
【符号の説明】
１０    磁気遮蔽材張付具
１１    張付具本体
１２    ビス孔
１６    取付突起
２０    キャップ部材
３０    ビス
３１    ビス受け
４０    磁気遮蔽材張付用工具
４１    凹部
４６    打撃面
５０    磁気遮蔽材
６０    ハンマー
７０    壁面
【図１】
2004360188.tif 000003
【図２】
2004360188.tif 000004
【図３】
2004360188.tif 000005
【図４】
2004360188.tif 000006